(57)【要約】  冬虫夏草の宿主昆虫であるコウモリガ科蛾の人工低海抜培養方法であって、主に下記のステップを含む：（ａ）卵期管理：取コウモリガ科蛾の成虫に生まれた卵を取り、細菌を消滅かつ真菌をコントロールするように、体表消毒を行って、その後に、消毒した卵を無菌の腐植土に入れることと、（ｂ）幼虫期管理：ニンジンをコウモリガ科蛾幼虫の餌材料とし、摂食したニンジンがコウモリガ科蛾幼虫に対して無害であることを確保するように、ニンジンに対する消毒および給餌検出を行って、雄と雌の蛹を得ることと、（ｃ）蛹期管理：コウモリガ科蛾の雌蛹と雄蛹を鑑別し、雄蛹の成長を遅らせ、雌蛹の成長と同期させるために、雌蛹と雄蛹を異なる培養温度において培養し、雄蛹の培養温度は、雌蛹のより低くて、温度差は２−６℃であり、同期羽化した雌と雄の成虫を得ることと、（ｄ）成虫期管理：羽化した雌の雄の成虫を、成虫の交配と停留のために模倣植物が設置された成虫籠に入れて、湿度８０％以上に保持し、成虫の活動と交配を促進するために５０−１００Ｌｕｘの微光を与え、成虫が交配し卵を産まれたら、卵の受精機会と孵化率を向上すること。本方法によれば、従来のコウモリガ科蛾低海拔人工培養過程にある汚染、幼虫の低生存率、雌と雄の蛹の成長時期不同一、成虫の低交配機会などの問題を克服することができる。【選択図】図２
2017504353.tif 000002
【特許請求の範囲】
【請求項１】
冬虫夏草の宿主昆虫であるコウモリガ科蛾の人工低海抜培養方法であって、
（ａ）卵期管理：コウモリガ科蛾の成虫に産まれた卵を取り、細菌を消滅かつ真菌をコントロールするように、体表消毒を行って、その後に、消毒した卵を無菌の腐植土に入れることと、
（ｂ）幼虫期管理：ニンジンをコウモリガ科蛾幼虫の餌材料とし、摂食したニンジンがコウモリガ科蛾幼虫に対して無害であることを確保するように、ニンジンに対する消毒および給餌検出を行って、雄と雌の蛹を得ることと、
（ｃ）蛹期管理：コウモリガ科蛾の雌蛹と雄蛹を鑑別し、雄蛹の成長を遅らせ、雌蛹の成長と同期させるために、雌蛹と雄蛹を異なる培養温度において培養し、雄蛹の培養温度は、雌蛹のより低く、温度差は２−６℃であり、同期羽化した雌と雄の成虫を得ることと、
（ｄ）成虫期管理：羽化した雌の雄の成虫を、成虫の交配と停留のために模擬植物が設置された成虫籠に入れて、湿度８０％以上に保持し、成虫の活動と交配を促進するために５０−１００Ｌｕｘの微光を与え、成虫が交配し卵を産まれたら、卵を収集することと、
を含む、
ことを特徴とする冬虫夏草の宿主昆虫であるコウモリガ科蛾の人工低海抜培養方法。
【請求項２】
前記ステップ（ａ）中の体表消毒として、卵を滅菌水で数回洗浄した後、消毒液で３〜６分間消毒して、次いで、再び滅菌水で数回洗浄し、
前記消毒液は、１０００ｍｌの滅菌水に１５０ｍｌ、４ｍｏｌのＮａＯＨ溶液と、５０ｍｌの次亜塩素酸ナトリウム（有効塩素含有量≧７．５％）を添加してなるものであり、
前記腐植土の含水量は、３５−４５％である、
ことを特徴とする請求項１に記載の冬虫夏草の宿主昆虫のコウモリガ科蛾の人工低海抜培養方法。
【請求項３】
前記ステップ（ｂ）に記載のニンジンに対する消毒および給餌検出として、滅菌水洗浄、および体積濃度７５％のエタノール溶液で洗浄したニンジンをカットしサンプリングし、コウモリガ科蛾の幼虫に少なくとも２日間給餌し、ニンジンが幼虫に致死作用を有するかどうかを確認し、残ったニンジンを低温で保存し、
サンプリングしたニンジンが、幼虫に対して有害をもたらしていなければ、低温保存のニンジンを幼虫に給餌することができる、
ことを特徴とする請求項１に記載の冬虫夏草の宿主昆虫であるコウモリガ科蛾の人工低海抜培養方法。
【請求項４】
前記模擬植物は、植物状プラスチック製品である、
ことを特徴とする請求項１に記載の冬虫夏草の宿主昆虫であるコウモリガ科蛾の人工低海抜培養方法。
【発明の詳細な説明】
【技術分野】
【０００１】
本発明は、昆虫の飼育分野に関し、特に、冬虫夏草の宿主昆虫であるコウモリガ科蛾の人工低海抜培養方法に関する。
【背景技術】
【０００２】
冬虫夏草（Ｏｐｈｉｏｃｏｒｄｙｃｅｐｓ  ｓｉｎｅｎｓｉｓ、別称：Ｃｏｒｄｙｃｅｐｓ  ｓｉｎｅｎｓｉｓ）は、我が国のもっとも特別な生物資源であり、子嚢菌門（Ａｓｃｏｍｙｃｏｔａ）、フンタマカビ綱（Ｓｏｒｄａｒｉｏｍｙｃｅｔｅｓ）、ニクザキン目（Ｈｙｐｏｃｒｅａｌｅｓ）、オフィオコルディセプス科（Ｏｐｈｉｏｃｏｒｄｙｃｉｐｉｔａｃｅａｅ）、オフィオコルディセプス属（Ｏｐｈｉｏｃｏｒｄｙｃｅｐｓ）に属し、中国では、主にチベット、青海、雲南、四川、甘粛等海抜３０００メートル以上の雪山である高寒山区に生息している。本物の薬用冬虫夏草は、中国のトウチュウカソウ（Ｏｐｈｉｏｃｏｒｄｙｃｅｐｓ  ｓｉｎｅｎｓｉｓ）真菌によってホスト昆虫であるコウモリガ科を真菌感染し菌核化させ、適切な条件下において、真菌感染した菌核化した幼虫を成長させ、虫（菌核化した宿主昆虫）草（真菌の子実体）の複合形態を形成したものである。
【０００３】
冬虫夏草は、我が国において、薬膳同源の珍重的な食材であり、健肺、健腎、強精強壮効果、各種脱力感を回復する効果などたくさんの効果がある。現代医学では、冬虫夏草は天然免疫調節剤と視され、人体健康を守る“天然の調合物”である。冬虫夏草によって、多種の抗菌、抗ウイルス、抗腫瘍、抗放射線、免疫調節機能を有する生理活性物質を生み出すことができ、医薬、食品、および現代生物技術などの面で広く応用され、特に、我が国の伝統的な栄養剤市場において重要な地位をしめていって、国民に推薦と信頼されつつ、そして、日本、韓国、東南アジア、および米国など国際市場においてくよく販売されている。
【０００４】
資源の枯渇、需要の伸び、および政策保護の原因で、市場価格が高騰してきている。野生の冬虫夏草は、すでに国家二級保護物種と指定された。チベット高原の生態環境や、虫草資源を保護するとともに、冬虫夏草を人類の健康によりよく貢献するための、唯一の選択として、人工培養がある。
【０００５】
冬虫夏草の真菌の宿主昆虫であるコウモリガ科蛾（鱗翅目コウモリガ科蛾科Ｈｅｐｉａｌｉｄａｅ）の人工繁殖は、冬虫夏草の人工培養の重要な一環である。報道によれば、コウモリガ科蛾の昆虫は６０種以上あり、分布于雲南、チベット、四川、青海および甘粛に見られている。コウモリガ科蛾は、完全変態の昆虫であり、生命期間は、卵、幼虫、蛹および成虫段階を含む。最も適切な成長土壌は、高山草原土壌や高山低木土壌である。地域によってコウモリガ科蛾の生活史が異なるが、全体的に規則性がある。毎年６−８月において、蛹が成虫に羽化し、そして、雌と雄虫が交配した後、雌虫がその近くの草原や、低木の植物に卵を散々に産んで、通常、１頭の雌蛾が２００−８００粒の卵を産む。コウモリガ科蛾の幼虫は、自然土壤においてトンネルを掘って暮らし、雑食性であり、主に植物の若い根を食料とする。幼虫期が長くて、通常９００−１３００日、７−９齢の成長発育を経ってから蛹化し、また、明らかに世代交代の現象がある。毎年１０月から来年の４月までの凍土期に、コウモリガ科蛾の幼虫が土壤中において休眠状態となる。毎年５月下旬に、コウモリガ科蛾の幼虫は蛹になり、蛹期で１−３ヶ月を経ってから成虫に羽化する。自然環境中に、コウモリガ科蛾の昆虫が、全世代周期を終えるために、地理的分布、食料、植生、土壌構造、温度、湿度、および天敵など多種の生態学要因に総合的に影響される。
【０００６】
コウモリガ科蛾の昆虫の人工培養過程中において、餌材料の品質、病原体の汚染、幼虫の低生存率、雌と雄蛹の成長期不同一、成虫の低交配機会は、重要な制限要素となっている。
【発明の概要】
【発明が解決しようとする課題】
【０００７】
本発明の目的は、冬虫夏草の宿主昆虫であるコウモリガ科蛾の人工低海抜培養方法を提供することである。
【課題を解決するための手段】
【０００８】
本発明の冬虫夏草の宿主昆虫であるコウモリガ科蛾の人工低海抜培養方法は、下記のステップを含むことを特徴とする：
【０００９】
（ａ）卵期管理：コウモリガ科蛾の成虫から産まれた卵を取り、細菌を消滅かつ真菌をコントロールするように、体表消毒を行って、その後に、消毒した卵を無菌の腐植土に入れること。
【００１０】
卵期管理において、最も重要なステップは、成虫から産まれた卵について、体表消毒することである。適切な消毒液によって、卵表面の有害微生物を取り除き、孵化した幼虫の生存率を向上させることができる。好ましい方法として、卵を滅菌水で数回洗浄した後、消毒剤で３〜６分間消毒して、次いで、再び滅菌水で数回洗浄する。前記消毒液は、１０００ｍｌの滅菌水に１５０ｍｌ、４ｍｏｌのＮａＯＨ溶液と、５０ｍｌの次亜塩素酸ナトリウム（有効塩素含有量≧７．５％）を添加してなる。本滅菌方法によれば、細菌を消滅させるとともに、真菌をコントロールすることもできる。
【００１１】
本発明において用いられる昆虫培地は、市販の腐植土である。腐植土は、重金属汚染を有さず、優れた保湿効果を持つだけではなく、また空腹の幼虫の餌材料にもなる。腐植土の含水量は、通常４０％であり、本発明に用いられる腐植土の含水量は、３５−４５％であることが好ましい。腐植土を培養容器中（ペットボトル、ガラスびんなど）に入れて、高圧消毒（１２１℃、３０−６０分間）を行ったらコウモリガ科蛾昆虫の培養に用いることができる。消毒液で消毒した卵を上記腐植土中に入れる。培養容器の体積に応じて、異なる量の腐植土と昆虫卵を入れ、通常、腐植土１グラムあたり、１個の卵を入れる。
【００１２】
（ｂ）幼虫期管理：ニンジンをコウモリガ科蛾幼虫の餌材料とし、摂食したニンジンがコウモリガ科蛾幼虫に対して無害であることを確保するように、ニンジンについて消毒および給餌検出を行って、雄と雌の蛹を得ること。
【００１３】
ニンジンにおいて、幼虫に有害物は、主に生産過程の残留農薬や、また生産および運送過程中にもたらされた病原微生物、例えば白きょう病菌（Ｂｅａｕｖｅｒｉａ  ｂａｓｓｉａｎａ）、メタリジウム菌（  Ｍｅｔａｒｈｉｚｉｕｍ  ａｎｉｓｏｐｌｉａｅ）、ペニシリウム・エクスパンサム（Ｐｅｎｉｃｉｌｌｉｕｍ  ｅｘｐａｎｓｕｍ）、コナサナギタケ（Ｉｓａｒｉａ  ｆａｒｉｎｏｓａ）、シュードモナス・エスピー（Ｐｓｅｕｄｏｍｏｎａｓ  ｓｐ．）などに起因する。農薬残留や、病原微生物の検出に、好ましい方法として、滅菌水洗浄、および体積濃度７５％のエタノール溶液で消毒したニンジンをカットし、各本（またはパッチ）についてサンプリングしコウモリガ科蛾の幼虫に少なくとも２日間給餌して、ニンジンが幼虫に致死作用を有するかどうかを確認し、残ったニンジンを低温で保存する。サンプリングしたニンジンが、幼虫に対して有害をもたらしていなければ、低温保存のニンジンを幼虫に給餌することができる。７５％のエタノール溶液によりニンジンを体表消毒することで、ある程度病原体、特に、細菌の数を減少させることができる。給餌検出方法を用いることで、有害ニンジンによるコウモリガ科蛾幼虫の被害を避けられ、幼虫の生存率を向上させることができる。
【００１４】
（ｃ）蛹期管理：コウモリガ科蛾の雌蛹と雄蛹を鑑別し、雄蛹の成長を遅らせ、雌蛹の成長と同期させるために、雌蛹と雄蛹を異なる培養温度において培養し、雄蛹の培養温度は、雌蛹においてより低く、温度差は２−６℃であり、同期羽化した雌と雄の成虫を得ること。
【００１５】
雄と雌の蛹の同期羽化を確保するために、蛹期管理は最も重要である。同期羽化する雄と雌の虫が、成功的に交配する前提条件である。同期に蛹期に入る雄蛹と雌蛹は、羽化が異なり、通常、雄蛹の羽化時期は、雌蛹のより早い。本発明の方法によれば、コウモリガ科蛾の雌蛹と雄蛹を正しく鑑別する上、雌蛹と雄蛹を異なる培養温度で培養し、すなわち、雄蛹の培養温度は雌蛹のより低くして、雄蛹の成長を遅らせ、雌蛹の成長と同期させる。コウモリガ科蛾の種類によって雄と雌の蛹の培養温度差が異なり、通常２−６℃である。
【００１６】
（ｄ）成虫期管理：羽化した雌と雄の成虫を、成虫の交配と停留のために模倣植物が設置された成虫籠に入れて、湿度８０％以上に保持し、成虫の活動と交配を促進するために５０−１００Ｌｕｘの微光を与え、成虫が交配し卵を産まれたら、卵を収集すること。
【００１７】
成虫期管理の最も重要なことは、雌と雄の虫の交配を促進し、雌虫を順調に産卵させることである。本発明において用いられる手段は、植物状のプラスチック製品を利用するとともに、微光（５０−１００Ｌｕｘ）を与えて、成虫の活動と交配を促進する。
【００１８】
本発明によって提供された冬虫夏草の宿主昆虫であるコウモリガ科蛾の人工低海抜培養方法は、従来のコウモリガ科蛾低海抜人工培養過程にある汚染、幼虫の低生存率、雌と雄の蛹の成長時期不同一、成虫の低交配機会などの問題を有効に克服でき、冬虫夏草の規模化生産に有効な技術を提供することができる。
【図面の簡単な説明】
【００１９】
【図１】図１（ａ）は、雄蛹の腹節末端の特徴を表す図であり、図１（ｂ）は、雌蛹の腹節末端の特徴を表す図であり、図１（ｃ）は、雌と雄蛹の個体のサイズ比較図である。
【図２】雌と雄蛹の模式説明図である。
【発明を実施するための形態】
【００２０】
具体的な実施態様：
下記実施例は、本発明に対する説明であり、本発明を限定するものではない。
【実施例】
【００２１】
実施例１：
本発明に用いられたコウモリガ科蛾は、雲南剣川に生まれた无釣蝠蛾（Ｔｈｉｔａｒｏｄｅｓ  ｊｉａｎｃｈｕａｎｅｎｓｉｓ）、四川貢嗄に生まれた蝠蛾（Ｔｈｉｔａｒｏｄｅｓ  ｇｏｎｇｇａｎｉｓｉｓ）、チベットおよび青海に生まれた虫草釣蝠蛾（Ｔｈｉｔａｒｏｄｅｓ  ａｒｍｏｒｉｃａｎｕｓ）である。
【００２２】
（１）卵期管理
【００２３】
５０ｍｌのガラス瓶に、１０ｇの含水率約３５−４５％である市販の腐植土（特利夫会社製の育種用基質、白い炭素泥７０５；ｍａｔｒｉｘ  ｆｏｒ  ｓｏｗｉｎｇ，  ｗｈｉｔｅ  ｐｅａｔ  ７０５，Ｔｒｅｆ  ｃｏｍｐａｎｙ）を入れて、高圧消毒（１２１℃、６０分間）を行ってから、９−１６℃下で冷却した。
【００２４】
低温（９−１６℃）下に、コウモリガ科蛾の成虫が室内で産んだ卵を、無菌プラスチック遠心分離管（５０ｍｌ）に収集して、各管には、約２万粒の卵を有する。そして、卵を無菌の１００メッシュのガーゼ中にいれて、滅菌水でソフトに卵を少なくとも３回すすぎ、そして、卵が入っているガーゼを２００ｍｌの消毒液において３−６分間（コウモリガ科蛾の種類によって異なる）消毒して、次にガーゼを消毒液から取り出して滅菌水で卵をさらに少なくとも３回すすいだ。消毒卵を、瓶ごとに１０粒の量で腐植土を充填した培養瓶に入れて、培養容器の体積に応じて、異なる量の腐植土と昆虫卵を入れ、通常、腐植土１グラム（含水量：３５−４５％）あたり、１個の卵を入れる。９−１６℃下において卵の孵化を観測した。３５−４０日後に、卵が孵化して、幼虫が腐植土の表面、またはその中で活動した。前記消毒液は、１５ｍｌ、４ＭのＮａＯＨ溶液と５ｍｌの次亜塩素酸ナトリウム（有効塩素含有量≧７．５％）を１００ｍｌの滅菌水に添加し均一に混合してなるものである。
【００２５】
サンプリング（約３０粒の卵）して、ＬＢ（トリプトン１０ｇ、酵母粉５ｇ、ＮａＣｌの５ｇ、寒天１８ｇ、ｐＨ＝７．２、１０００ｍＬとなるように水を添加し）とＰＰＤＡ（グルコース２０ｇ、ポテト２００ｇ、ペプトン１０ｇ、ＫＨ２ＰＯ４  ３ｇ、ＭｇＳＯ４・７Ｈ２Ｏ  １．５ｇ、ＶＢ１  ０．０２ｇ、寒天１５ｇ、Ｈ２Ｏ  １０００ｍＬ、自然のｐＨ）の培地に置いて、１５℃と２５℃でそれぞれ２５日培養したら、消毒効果を検査した。それと同時に、虫卵を滅菌した９ｃｍ培養皿中（虫卵に応じて、滅菌水を添加したろ紙で保湿）において１６℃で孵化させ、３０−４５日経ったら孵化率を計算した。結果によれば、本発明に用いられた消毒液が卵の体表の微生物を有効に消滅することができ、ＬＢとＰＰＤＡの培地上、１５℃と２５℃でそれぞれ４５日培養したら、何れも微生物の成長が見られなかった。また、卵の体表消毒は、卵の孵化率に影響せず、消毒した卵と未消毒の卵の孵化率に有意な差はなかった。
【００２６】
（２）幼虫期管理
【００２７】
コウモリガ科蛾が幼虫期に入ったら、幼虫の餌材料として、腐植土上新鮮なニンジンを添加した。通常、四週に一回餌を添加する。幼虫の齢期と成長状況に応じて、各培養瓶に毎回約１−１０ｇの新鮮ニンジンを添加した。
【００２８】
給餌過程において、幼虫によくニンジンが持っている病原体が感染し、または残留の化学農薬によって中毒となる。よって、用いられているニンジンが、農薬の残留が無く、かつ幼虫に有害な病原微生物も持っていないことが必要である。
【００２９】
ニンジンの品質を確保するために、本発明において、使用するニンジンを滅菌水で洗浄して、体積濃度７５％のエタノール溶液で消毒した以外に、最も重要な方法として、上記滅菌水で洗浄、および体積濃度７５％のエタノール溶液で消毒したニンジンをカットし、各本（またはパッチ）についてサンプリングし、コウモリガ科蛾の幼虫に少なくとも２日間給餌して、ニンジンが幼虫に致死作用を有するかどうかを確認し、残ったニンジンを４℃の冷蔵庫に保存した。サンプリングしたニンジンが、幼虫に対して有害をもたらしていなければ、４℃の冷蔵庫に保存したニンジンを幼虫に給餌することができる。検測していないニンジンを使用することと比較して、当工程によって、ニンジンの品質を有効に検測し、農薬残留および有害微生物による幼虫の死亡率を顕著に下げることができ、幼虫の生存率を３０％向上させることができる。
【００３０】
（３）蛹期管理
【００３１】
幼虫は９−１３℃下において、雲南蝠蛾では１３６−２６３日、四川では２５６−５４５日、青海蝠蛾では２１４−６６０日を経て、７−９齢後に蛹期に入る。雄蛹は、通常小さく、雌蛹のサイズにはバラつきがある。雌と雄蛹を区別する特徴として、蛹の腹節末端の割れや突起がある。肉眼で蛹の腹節末端を見れば、腹節末端の中心線の両側に二条の暗色の弧線があることが確認でき、図１（ａ）、図１（ｂ）、および図１（ｃ）に示すように、雄蛹では、肛門と弧線の間に２つの目立つ黒い斑点を持っていて、雌蛹では、弧線の間に垂直の割れ線がある。その中で、図１（ａ）は、雄蛹の腹節末端の特徴であり、図１（ｂ）は、雌蛹の腹節末端の特徴であり、図１（ｃ）は、雌と雄蛹の個体のサイズ比較図であり、手で作成した模式説明図は、図２に示す。
【００３２】
雄蛹の羽化時期は、通常、雌蛹より早い。雌と雄蛹を同期に羽化させ、雌と雄虫を成功的に交配させるために、蛹化したばかりの雄蛹を１０℃、雌蛹を１３℃の環境中に培養する。雌と雄蛹は、基本的に同期に羽化した。９−１３℃において、雲南蝠蛾の蛹期は通常３４−４２日、四川蝠蛾は通常３５−４５日、青海蝠蛾は通常３８−５０日である。
【００３３】
（４）成虫期管理
【００３４】
成虫籠の準備：市販の子ども用蚊屋（体積＝１０４ｃｍ×５０ｃｍ×５０ｃｍ）を洗浄し乾燥させ、産まれた虫卵を収集しやすくために、成虫籠の底部に滅菌綿布を置いた。
【００３５】
９−１３℃下で、蛹が成虫に羽化したら、まず、雌と雄の虫を鑑定して、そして、雌対雄の比１：１となるように、成虫籠に入れて、各成虫籠に１００−２００頭を入れた。成虫籠の中に、成虫の交配と停留のために、紫外線を一晩かけて照射されたプラスチックの花を設置した。必要に応じて、加湿器で湿度を８０％以上に保持した。また、成虫の飛び、翼展開、および交配を促進するために、１５ｗのライト（光強度５０−１００Ｌｕｘ）を与えた。成虫の交配機会の向上に起因させることが可能で、雌虫の卵の受精機会も増やされ、よって、卵の孵化率も従来に比べて、３０〜５０％向上した。
【００３６】
成虫の交配後に、雌虫が産卵し始めた。卵をライムに収集して（最初は、クリーム色であったが、３−５時間後に黒色に変わった）。卵を収集する時間として、最も良いのは、生まれてから８−１０時間後である。収集した卵を、適切な湿度の滅菌ろ紙を含有する培養皿（直径＝９ｃｍ）に入れた。異なる種類のコウモリガ科蛾の雌虫の産卵量は異なり、通常、１個の雌虫は２００−８００粒の卵を産卵する。
【図１】
2017504353.tif 000003
【図２】
2017504353.tif 000004
【国際調査報告】
2017504353.tif 000005
2017504353.tif 000006
2017504353.tif 000007
2017504353.tif 000008